(57)【要約】【課題】販売商品を露出させることなく紙幣識別装置が収容している紙幣を回収すること。【解決手段】金銭回収部２０は自動販売機本体２に対しＸ方向にスライド可能に構成されている。金銭回収部２０内には、紙幣識別装置２５が収容されている。紙幣識別装置２５は支持部材２６によって支持されている。支持部材２６は、金銭回収部２０の前面側壁部に設けられた回転軸２７として回転可能に構成されている。これにより、紙幣識別装置２５が収容している紙幣を回収する際には、金銭収容部２０を自動販売機本体２に対しＸ方向にスライドさせ、金銭収容部２０内の紙幣識別装置２５を水平面内で回転させることにより、紙幣識別装置２５が収容している紙幣を回収できるので、自動販売機本体２内に収容されている販売商品を露出させることなく紙幣識別装置２５が収容している紙幣を回収できる。【選択図】図４
2012027772.tif 000002
【特許請求の範囲】
【請求項１】
自動販売機本体と、
前記自動販売機本体に対し水平方向にスライド可能に構成された金銭収容部と、
を備え、
前記金銭収容部は、
紙幣導入口に投入された紙幣を識別して収容する紙幣識別装置と、
前記紙幣識別装置を水平面内で回転可能に支持する支持部材と、
を備えることを特徴とする自動販売機。
【発明の詳細な説明】
【技術分野】
【０００１】
本発明は、紙幣識別装置を備える自動販売機に関するものである。
【背景技術】
【０００２】
従来より、紙幣識別装置を備える自動販売機が知られている。紙幣識別装置は、紙幣導入口に投入された紙幣の真偽と金種とを識別して収容するものであり、識別できなかった紙幣は紙幣投入口から返却される。従来の自動販売機では、紙幣識別装置は、自動販売機の前面扉の裏面側に設けられている。このため、紙幣識別装置が収容している紙幣を回収する場合には、作業員は、紙幣識別装置を操作できる位置まで自動販売機の前面扉を開放する必要がある。
【先行技術文献】
【特許文献】
【０００３】
【特許文献１】特開２００７−３１７１５４号公報
【発明の概要】
【発明が解決しようとする課題】
【０００４】
しかしながら、紙幣を回収するために前面扉を開放したときには、販売商品が収容されているラックが露出することになるために、販売商品の防盗性が低下すると共に、販売商品が温度制御を必要とするものである場合には、販売商品の温度制御が困難になる。また、従来の自動販売機は、前面扉に紙幣識別装置を設ける構成になっているために、扉構造を備えない自動販売機や小型の自動販売機に適用することができない。
【０００５】
本発明は、上記課題に鑑みてなされたものであって、その目的は、販売商品を露出させることなく紙幣識別装置が収容している紙幣を回収可能な自動販売機を提供することにある。
【課題を解決するための手段】
【０００６】
上記課題を解決し、目的を達成するために、本発明に係る自動販売機は、自動販売機本体と、前記自動販売機本体に対し水平方向にスライド可能に構成された金銭収容部とを備え、前記金銭収容部は、紙幣導入口に投入された紙幣を識別して収容する紙幣識別装置と、前記紙幣識別装置を水平面内で回転可能に支持する支持部材とを備える。
【発明の効果】
【０００７】
本発明に係る自動販売機によれば、金銭収容部を自動販売機本体に対し水平方向にスライドさせ、金銭収容部内の紙幣識別装置を水平面内で回転させることにより、紙幣識別装置が収容している紙幣を回収できるので、販売商品を露出させることなく紙幣識別装置が収容している紙幣を回収できる。
【図面の簡単な説明】
【０００８】
【図１】図１は、本発明の一実施形態である自動販売機の概観構成を示す斜視図である。
【図２】図２は、金銭回収部の構成を示す斜視図及び要部拡大平面図であり、金銭回収部が自動販売機本体内に収容されている状態を示す。
【図３】図３は、金銭回収部の構成を示す斜視図及び要部拡大平面図であり、金銭回収部が自動販売機本体から引き出された状態を示す。
【図４】図４は、金銭回収部の構成を示す斜視図及び要部拡大平面図であり、紙幣識別装置が回転された状態を示す。
【発明を実施するための形態】
【０００９】
以下、図面を参照して、本発明の一実施形態である自動販売機の構成について説明する。
【００１０】
〔自動販売機の概観構成〕
始めに、図１を参照して、本発明の一実施形態である自動販売機の概観構成について説明する。図１は、本発明の一実施形態である自動販売機の概観構成を示す斜視図である。なお、以下では、鉛直方向をＺ方向、自動販売機の接客面と直交する方向をＸ方向、Ｚ方向及びＸ方向と直交する方向をＹ方向と定義する。
【００１１】
図１に示すように、本発明の一実施形態である自動販売機１は、人が上面２ａを見下ろせる程度の高さ寸法を有する直方体状の販売機本体２を備える。販売機本体２内には、販売商品及びその販売機構が収容されている。販売機本体２の上面２ａには、長方形状の表示装置３と、表示装置３上又はその周縁に設けられたタッチパネル部４とが設けられている。表示装置３は、表示画面に各種情報を表示するものである。タッチパネル部４は、人による操作入力を受け付けるものである。上面２ａを形成する４辺５ａ〜５ｄの近傍にはそれぞれ、４辺５ａ〜５ｄへの人の接近を検出するためのセンサ６ａ〜６ｄが設けられている。
【００１２】
販売機本体２の接客面２ｂには、販売商品が陳列される陳列部１０と、購入した販売商品を取り出すための取出口１１が設けられている。取出口１１には、奥側に押し込んで開放可能なフラップドア１２が取り付けられている。販売商品を購入した購入者は、フラップドア１２を開放することによって、取出口１１から販売商品を取り出すことができる。
【００１３】
販売機本体２は、金銭回収部２０を備える。金銭回収部２０の上面には、硬貨投入口２１や表示部２２等が設けられている。硬貨投入口２１は、硬貨を投入する部分であり、金銭回収部２０内の図示しないコインメカニズムに連通している。
【００１４】
図示しないコインメカニズムは、投入された硬貨の真偽と金種とを識別し、金種毎に硬貨を収容するものである。コインメカニズムによって識別できなかった硬貨は、金銭回収部２０の前面に設けられた返却口２３から返却される。表示部２２は、投入された金額等の各種情報を出力する。
【００１５】
金銭回収部２０の前面には、紙幣投入口２４が設けられている。紙幣投入口２４は、紙幣を投入する部分であり、金銭回収部２０内の図示しない紙幣識別装置に連通している。図示しない紙幣識別装置は、投入された紙幣の真偽と金種を識別して収容するものである。紙幣識別装置によって識別できなかった紙幣は、紙幣投入口２４から返却される。
【００１６】
〔金銭回収部の構成〕
次に、図２乃至図４を参照して、金銭回収部２０の構成について説明する。図２は、金銭回収部の構成を示す斜視図及び要部拡大平面図であり、金銭回収部が自動販売機本体内に収容されている状態を示す。図３は、金銭回収部の構成を示す斜視図及び要部拡大平面図であり、金銭回収部が自動販売機本体から引き出された状態を示す。図４は、金銭回収部の構成を示す斜視図及び要部拡大平面図であり、紙幣識別装置が回転された状態を示す。
【００１７】
図２及び図３に示すように、金銭回収部２０は自動販売機本体２に対しＸ方向にスライド可能に構成されている。金銭回収部２０内には、紙幣投入口２４から投入された紙幣が導入される導入口及び紙幣を収容する収容部をそれぞれ前面側及び後面側として紙幣識別装置２５が収容されている。図３及び図４に示すように、紙幣識別装置２５は、支持部材２６によって支持され、支持部材２６は、金銭回収部２０の前面側壁部に設けられた回転軸２７によって水平面内で回転可能に構成されている。支持部材２６を回転させることによって、紙幣が収容されている紙幣識別装置２５の後面側をＹ方向に向けることができる。
【００１８】
このような構成によれば、紙幣識別装置２５が収容している紙幣を回収する際には、金銭収容部２０を自動販売機本体２に対しＸ方向にスライドさせ、金銭収容部２０内の紙幣識別装置２５を水平面内で回転させることにより、紙幣識別装置２５が収容している紙幣を回収できるので、自動販売機本体２内に収容されている販売商品を露出させることなく紙幣識別装置２５が収容している紙幣を回収できる。また、扉構造を備えない自動販売機や小型の自動販売機にも適用することができる。
【００１９】
以上、本発明を適用した実施の形態について説明したが、本実施形態による本発明の開示の一部をなす記述及び図面により本発明は限定されることはない。すなわち、本実施形態に基づいて当業者等によりなされる他の実施の形態、実施例及び運用技術等は全て本発明の範疇に含まれる。
【符号の説明】
【００２０】
１  自動販売機
２  販売機本体
２ａ  上面
２ｂ  接客面
３  表示装置
４  タッチパネル部
６ａ〜６ｄ  センサ
２０  金銭回収部
２１  硬貨投入口
２２  表示部
２３  返却口
２４  紙幣投入口
２５  紙幣識別装置
２６  支持部材
２７  回転軸
【図１】
2012027772.tif 000003
【図２】
2012027772.tif 000004
【図３】
2012027772.tif 000005
【図４】
2012027772.tif 000006